(57)【要約】【課題】電動工具用電池パックおよび該電動工具用電池パックを充電する充電器において、これらをなるべく纏めて保管できるようにする。【解決手段】充電器６０の外周面に保持面部７０が設けられている。保持面部７０には、電池パック１０を載せた場合に電池パック１０の下面部１３１を面で当てて電池パック１０を支持するようになっている。電池パック１０を使用しない場合には、充電装着部６６に装着させなくとも、この充電器６０の上に安定して電池パック１０を載せて保管することができ、電池パック１０および充電器６０をなるべく纏めて保管することができる。【選択図】図３
2015011767.tif 000002
【特許請求の範囲】
【請求項１】
工具本体や充電器等の機器本体に対して着け外し可能にされる電動工具用電池パックであって、
充放電可能な電池セルと、
接続端子を有しつつ前記電池セルに接続される回路基板と、
前記電池セルおよび前記回路基板を収容するケースと、を有し、
前記ケースの外周面には、平坦な面をなす平面部位と該平面部位よりも外側に突き出される凸形状部とが設けられており、
前記ケースの外周面のうち前記平面部位が設けられていない部位には、前記平面部位に設けられる前記凸形状部の突き出しを収容可能とするように凹まされる凹形状部が設けられている、ことを特徴とする電動工具用電池パック。
【請求項２】
請求項１に記載の電動工具用電池パックにおいて、
前記凸形状部の配設箇所は、前記ケースの一側の面に設定されており、
前記凹形状部の配設箇所は、前記ケースの一側の面とは反対側の他側の面に設定されている、ことを特徴とする電動工具用電池パック。
【請求項３】
請求項１または請求項２に記載の電動工具用電池パックにおいて、
前記凸形状部と前記凹形状部との配設箇所は、該凸形状部と該凹形状部との配設箇所同士を結ぶ線が前記電動工具用電池パックの中心軸線が延びる方向と直交する対称位置に設定されている、ことを特徴とする電動工具用電池パック。
【請求項４】
請求項１〜請求項３のいずれかに記載の電動工具用電池パックにおいて、
前記凸形状部は複数種類に設定され、且つ前記凹形状部も複数種類に設定されている、ことを特徴とする電動工具用電池パック。
【請求項５】
請求項１〜請求項４のいずれかに記載の電動工具用電池パックにおいて、
前記凸形状部および前記凹形状部のうちのいずれか一方の配設箇所は、前記電動工具用電池パックの上側の面に設定されており、
前記凸形状部および前記凹形状部のうちのいずれか他方の配設箇所は、前記電動工具用電池パックの下側の面に設定されている、ことを特徴とする電動工具用電池パック。
【請求項６】
請求項１〜請求項５のいずれかに記載の電動工具用電池パックにおいて、
前記凸形状部は、前記機器本体に設けられる被係合部に係合可能な係合部として設定されており、
前記凹形状部は、前記係合部として設定される前記凸形状部に対応して設定されている、ことを特徴とする電動工具用電池パック。
【請求項７】
請求項１〜請求項６のいずれかに記載の電動工具用電池パックを充電する充電器であって、
充電器外周面には、前記電動工具用電池パックを載置可能とする平坦面が設けられている、ことを特徴とする充電器。
【請求項８】
請求項１〜請求項６のいずれかに記載の電動工具用電池パックを充電する充電器であって、
充電器外周面には、前記電動工具用電池パックを充電しない場合に前記電動工具用電池パックの前記係合部を係合させておく被係合部が設けられている、ことを特徴とする充電器。
【請求項９】
請求項８に記載の充電器において、
前記係合部と前記被係合部とは、一方が凸形をなし且つ他方が該凸形を嵌め込み可能とする凹形をなしている、ことを特徴とする充電器。
【請求項１０】
請求項８に記載の充電器において、
充電器外周面には、
前記電動工具用電池パックを充電可能位置に配置した場合に、前記電動工具用電池パックの前記係合部を係合させる第一の被係合部と、
前記電動工具用電池パックを充電不可位置に配置した場合に、前記電動工具用電池パックの前記係合部を係合させる第二の被係合部と、が設けられている、
ことを特徴とする充電器。
【請求項１１】
工具本体や充電器等の機器本体に対して着け外し可能にされる電動工具用電池パックであって、
充放電可能な電池セルと、
接続端子を有しつつ前記電池セルに接続される回路基板と、
前記電池セルおよび前記回路基板を収容するケースと、を有し、
前記ケースの外周面の一側には、係合凸部が設けられており、
前記ケースの外周面の他側には、該係合凸部が係合可能な係合凹部が設けられている、ことを特徴とする電動工具用電池パック。
【請求項１２】
請求項１１に記載の電動工具用電池パックにおいて、
前記係合凸部および前記係合凹部は、四方向の側面に対して設けられている、ことを特徴とする電動工具用電池パック。
【発明の詳細な説明】
【技術分野】
【０００１】
本発明は、工具本体や充電器等の機器本体に対して着け外し可能にされる電動工具用電池パックおよび該電動工具用電池パックを充電する充電器に関する。
【背景技術】
【０００２】
近年の電動工具にあっては、電源に充電式電池となる電動工具用電池パックが利用されている。この電動工具用電池パックは、電動工具の工具本体に対して着脱可能に構成される。この電動工具用電池パックは、電動工具の電源として使用された後には、工具本体から取り外されて充電器にて充電される。充電器にて充電された電動工具用電池パックは、再び電動工具の電源として工具本体に取り付けられて利用される（例えば、特許文献１参照）。なお、この電動工具用電池パックが装着される工具本体や充電器については、以下、総じて機器本体と称する。この電動工具用電池パックは、概略、ケースと、電池セルと、電池セルの充放電に関する制御を行う回路基板と、を備える。このケースは、電池セル等を内装する筐体として機能するとともに、電動工具用電池パック自体の外装として機能する。
【先行技術文献】
【非特許文献】
【０００３】
【非特許文献１】２０１２年４月発行  マキタ総合カタログ  （ＢＬ１４３０の掲載ページ）
【発明の概要】
【発明が解決しようとする課題】
【０００４】
ところで、上記した電動工具用電池パックにあっては、電動工具を長時間に亘って連続的にしようするために複数所持されていたり、複数種類の電動工具ごとに装着されるように複数所持されていたりすることがある。そうすると、工具本体や充電器等の機器本体から取り外した状態で、工具本体や充電器等の傍らで複数の電動工具用電池パックのを保管しようとすると、これらの保管スペースを嵩張らせてしまい邪魔となりかねない。このため、これらの機器本体や電動工具用電池パックを保管するにあたっては、なるべく纏めるようにして保管できるよう工夫を施しておきたい。
【０００５】
本発明は、このような事情に鑑みなされたものであって、本発明が解決しようとする課題は、工具本体や充電器等の機器本体に対して着け外し可能にされる電動工具用電池パックおよび該電動工具用電池パックを充電する充電器において、これらをなるべく纏めて保管できるようにするような工夫を施すことにある。
【課題を解決するための手段】
【０００６】
上記した課題を解決するにあたって、本発明に係る電動工具用電池パックおよび充電器は次の手段をとる。すなわち、本発明の第１の発明に係る電動工具用電池パックは、工具本体や充電器等の機器本体に対して着け外し可能にされる電動工具用電池パックであって、充放電可能な電池セルと、接続端子を有しつつ前記電池セルに接続される回路基板と、前記電池セルおよび前記回路基板を収容するケースと、を有し、前記ケースの外周面には、平坦な面をなす平面部位と該平面部位よりも外側に突き出される凸形状部とが設けられており、前記ケースの外周面のうち前記平面部位が設けられていない部位には、前記平面部位に設けられる前記凸形状部の突き出しを収容可能とするように凹まされる凹形状部が設けられている、ことを特徴とする。
この第１の発明に係る電動工具用電池パックによれば、凸形状部の突き出しを収容可能とするように凹まされる凹形状部が設けられているので、この電動工具用電池パック同士を重ね合わせて配置する場合でも、互いを平面にて面接触させるように並べて配置させることができる。これによって、これらの複数の電動工具用電池パックをなるべく纏めて保管することができる。
【０００７】
第２の発明に係る電動工具用電池パックは、前記第１の発明に係る電動工具用電池パックにおいて、前記凸形状部の配設箇所は、前記ケースの一側の面に設定されており、前記凹形状部の配設箇所は、前記ケースの一側の面とは反対側の他側の面に設定されている、ことを特徴とする。
第３の発明に係る電動工具用電池パックは、前記第１または前記第２の発明に係る電動工具用電池パックにおいて、前記凸形状部と前記凹形状部との配設箇所は、該凸形状部と該凹形状部との配設箇所同士を結ぶ線が前記電動工具用電池パックの中心軸線が延びる方向と直交する対称位置に設定されている、ことを特徴とする。
第４の発明に係る電動工具用電池パックは、前記第１〜前記第３のいずれかの発明に係る電動工具用電池パックにおいて、前記凸形状部は複数種類に設定され、且つ前記凹形状部も複数種類に設定されている、ことを特徴とする。
第５の発明に係る電動工具用電池パックは、前記第１〜前記第４のいずれかの発明に係る電動工具用電池パックにおいて、前記凸形状部および前記凹形状部のうちのいずれか一方の配設箇所は、前記電動工具用電池パックの上側の面に設定されており、前記凸形状部および前記凹形状部のうちのいずれか他方の配設箇所は、前記電動工具用電池パックの下側の面に設定されている、ことを特徴とする。
第６の発明に係る電動工具用電池パックは、前記第１〜前記第５のいずれかの発明に係る電動工具用電池パックにおいて、前記凸形状部は、前記機器本体に設けられる被係合部に係合可能な係合部として設定されており、前記凹形状部は、前記係合部として設定される前記凸形状部に対応して設定されている、ことを特徴とする。
【０００８】
第７の発明に係る充電器は、前記第１〜前記第６のいずれかの発明に係る電動工具用電池パックを充電する充電器であって、充電器外周面には、前記電動工具用電池パックを載置可能とする平坦面が設けられている、ことを特徴とする。
第８の発明に係る充電器は、前記第１〜前記第６のいずれかの発明に係る電動工具用電池パックを充電する充電器であって、充電器外周面には、前記電動工具用電池パックを充電しない場合に前記電動工具用電池パックの前記係合部を係合させておく被係合部が設けられている、ことを特徴とする。
第９の発明に係る充電器は、前記第８の発明に係る充電器において、前記係合部と前記被係合部とは、一方が凸形をなし且つ他方が該凸形を嵌め込み可能とする凹形をなしている、ことを特徴とする。
第１０の発明に係る充電器は、前記第８の発明に係る充電器において、充電器外周面には、前記電動工具用電池パックを充電可能位置に配置した場合に、前記電動工具用電池パックの前記係合部を係合させる第一の被係合部と、前記電動工具用電池パックを充電不可位置に配置した場合に、前記電動工具用電池パックの前記係合部を係合させる第二の被係合部と、が設けられている、ことを特徴とする。
第１１の発明に係る電動工具用電池パックは、工具本体や充電器等の機器本体に対して着け外し可能にされる電動工具用電池パックであって、充放電可能な電池セルと、接続端子を有しつつ前記電池セルに接続される回路基板と、前記電池セルおよび前記回路基板を収容するケースと、を有し、前記ケースの外周面の一側には、係合凸部が設けられており、前記ケースの外周面の他側には、該係合凸部が係合可能な係合凹部が設けられている、ことを特徴とする。
第１２の発明に係る電動工具用電池パックは、前記第１１の発明に係る電動工具用電池パックにおいて、前記係合凸部および前記係合凹部は、四方向の側面に対して設けられている、ことを特徴とする。
【図面の簡単な説明】
【０００９】
【図１】第１の実施の形態の電池パックの上側外観斜視を示す外観斜視図である。
【図２】図１の電池パックの下側外観斜視を示す外観斜視図である。
【図３】図１の電池パックと充電器を側面視にて示す平面図である。
【図４】図３の電池パックと充電器を前面視にて示す平面図である。
【図５】図３の電池パックと充電器を上面視にて示す平面図である。
【図６】図４における(VI)-(VI)断面矢視を示す断面図である。
【図７】第２の実施の形態の電池パックと充電器を側面視にて示す平面図である。
【図８】図７の電池パックと充電器を前面視にて示す平面図である。
【図９】図７の電池パックと充電器を上面視にて示す平面図である。
【図１０】図８における(X)-(X)断面矢視を示す断面図である。
【図１１】第２の実施の形態の充電器の上側外観斜視を示す外観斜視図である。
【図１２】第３の実施の形態の電池パックと充電器を右側面視にて示す平面図である。
【図１３】図１２の電池パックと充電器を左側面視にて示す平面図である。
【図１４】図１２の電池パックと充電器を上面視にて示す平面図である。
【図１５】図１４における(XV)-(XV)断面矢視を示す断面図である。
【図１６】第３の実施の形態の充電器の上側外観斜視を示す外観斜視図である。
【図１７】図１６の充電器を左側面視にて示す平面図である。
【図１８】第４の実施の形態の電池パックの下側外観斜視を示す外観斜視図である。
【図１９】第４の実施の形態の充電器の上側外観斜視を示す外観斜視図である。
【図２０】図１８の電池パックと図１９の充電器との係合箇所を示す断面図である。
【図２１】３つの電池パックが上下方向で積まれているのを示す外観斜視図である。
【図２２】図２１の３つ電池パックを後面視にて示す平面図である。
【図２３】図２１の３つ電池パックを側面視にて示す平面図である。
【図２４】図２２における(XXIV)-(XXIV)断面矢視を示す断面図である。
【図２５】第５の実施の形態の電池パックの上側外観斜視を示す外観斜視図である。
【図２６】図２５の電池パックの下側外観斜視を示す外観斜視図である。
【図２７】連結させてある３つ電池パックを上面視にて示す平面図である。
【図２８】第６の実施の形態の電池パックの上側外観斜視を示す外観斜視図である。
【図２９】図２８の電池パックの下側外観斜視を示す外観斜視図である。
【図３０】連結させてある３つ電池パックを後面視にて示す平面図である。
【図３１】第７の実施の形態の電池パックの上側外観斜視を示す外観斜視図である。
【図３２】図３１の電池パックの下側外観斜視を示す外観斜視図である。
【図３３】図３１の電池パックを上下二段とした係合箇所の断面を示す断面図である。
【図３４】図３３の上下二段の電池パックを取り付けた電動工具を示す斜視図である。
【図３５】図３４における(XXXV)-(XXXV)断面矢視を示す断面図である。
【発明を実施するための形態】
【００１０】
［第１の実施の形態］
以下に、本発明に係る電動工具用電池パックおよび充電器を実施するための第１の実施の形態について図１〜図６を参照しながら説明する。図１は、第１の実施の形態の電池パック１０の上側外観斜視を示す外観斜視図である。図２は、図１の電池パック１０の下側外観斜視を示す外観斜視図である。図３は、図１の電池パック１０と充電器６０を側面視にて示す平面図である。図４は、図３の電池パック１０と充電器６０を前面視にて示す平面図である。図５は、図３の電池パック１０と充電器６０を上面視にて示す平面図である。図６は、図４における(VI)-(VI)断面矢視を示す断面図である。
図１および図２に示す電池パック１０は、例えば電動ドライバに代表される各種の電動工具の工具本体（不図示）にスライドさせることにより着脱可能に構成される充電式電池である。工具本体に装着された電池パック１０は、電動工具の電源として機能する。このため、電池パック１０は、充電量が少なくなると工具本体から取り外されて図３〜図６に示す充電器６０に装着されて充電される。つまり、この電池パック１０は、不図示の工具本体や充電器６０等の機器本体に対して着け外し可能にされる、本発明に係る電動工具用電池パックに相当する電池パックとなっている。この充電器６０にて充電が完了した電池パック１０は、電動工具の駆動電源として再び工具本体に装着される。これらの工具本体や充電器６０は、本発明に係る機器本体に相当する。
【００１１】
以下に説明する電池パック１０の向きとしては、図１に記載の通りである。すなわち、電池パック１０をスライド装着させる方向に沿って「前側」が規定されており、充電のための接続側が「上側」として規定されている。また、電池パック１０の右左側は、このスライド装着させる方向に沿った右左方向により規定されている。なお、電池パック１０の「前側」の反対側は「後側」であり、電池パック１０の「上側」の反対側は「下側」である。これに対して、以下に説明する充電器６０の向きとしては、図５に記載の通りである。すなわち、充電器６０を使用する際にユーザに向けてある側が「正面側」として規定されており、充電のための接続側が「上側」として規定されている。また、充電器６０の右左側の向きは、充電器６０を使用する際にユーザから充電器６０を見た右左側にて規定されている。また、電池パック１０の右左側の向きは、このスライド装着させる前側の向きに沿った右左側にて規定されている。なお、充電器６０の「正面側」の反対側は「背面側」であり、充電器６０の「上側」の反対側は「下側」である。
電池パック１０は、従前どおりに利用されている電池パックにて構成されている。すなわち、図１および図２に示すように、電池パック１０は、概略、ケース１２と、ケース１２の内部に装置される電池本体３０（図６参照）と、を備える。ケース１２は、電池パック１０の外装をなしつつ電池本体３０を内装する筐体として機能する。ケース１２は、上下の２つ割り構造をなす下側ケース１３と上側ケース１５とを上下方向に合体して構成され、螺子部材２９により一体に螺子止めされている。このように合体されてなるケース１２は、内部に電池本体３０を装置可能な箱形空間をなす。つまり、螺子部材２９は、下側ケース１３の螺子孔１４１を通されて上側ケース１５の螺子ボス１６に螺子止めされる。なお、図示符号１４２はケース１２の内外を貫通させる排水孔である。この排水孔１４２は、ケース１２の内部に入った水をケース１２の外部に排水可能とする。
【００１２】
下側ケース１３は、上部が開口された、下面および四方側面を有する箱形をなす。具体的には、下側ケース１３は、ケース１２の主たる外周面をなす。つまり、ケース１２として下側ケース１３は、、下面部１３１と、右左および前後の側面部１３３，１３４，１３５，１３６とを有する。これら下面部１３１、右側面部１３３、左側面部１３４、前側面部１３５、後側面部１３６のそれぞれは、平らな面（平坦面）にて形成されている。このため、下面部１３１をはじめとして、右側面部１３３、左側面部１３４、前側面部１３５、後側面部１３６のそれぞれは、ケース１２の外周面として形成される。これらの下面部１３１、右側面部１３３、左側面部１３４、前側面部１３５、後側面部１３６のそれぞれは、本発明に係る平面部位に相当する。
なお、下面部１３１、右側面部１３３、左側面部１３４、後側面部１３６によりなされる平らな面の範囲面積としては、この電池パック１０を支持可能に適宜設定される範囲面積を有するようになっている。これらの下面部１３１、右側面部１３３、左側面部１３４、後側面部１３６のそれぞれは、平らな面をなして載置面（保持面部７０の平坦面７１）に対して面で当てられて電池パック１０の荷重を安定的に支持する。なお、右側面部１３３、左側面部１３４、後側面部１３６のそれぞれについても、載置面に対して面で当てられた場合には電池パック１０の荷重を安定的に支持する。ただ、この電池パック１０の下面部１３１は、右側面部１３３や左側面部１３４や後側面部１３６と比べて、載置面に対して当てられる面積が最大の面積に設定されているので、電池パック１０の荷重を最も安定して支持することができる。
【００１３】
上側ケース１５は、電池パック１０を機器本体（電動工具の工具本体や充電器６０）にスライド装着させる際の電気的接続側の外装をなす。この上側ケース１５の中間部分には、右左にて対をなすスライドガイド部１７１，１７２が設けられている。このスライドガイド部１７１，１７２は、機器本体に対しての電池パック１０のスライド装着をガイドする。このため、スライドガイド部１７１，１７２は、スライド装着可能な前後方向に延びるように右左両側に向けて張り出されたフランジ形状により形成される。また、上側ケース１５には、ケース１２の内部に設けられている充放電端子１８（プラス接続用端子１８１，マイナス接続用端子１８２）と接続可能なスリットが形成されていると共に、信号端子コネクタ１９と接続可能に形成されている。これらの充放電端子１８および信号端子コネクタ１９は、本発明に係る接続端子に相当する。また、図示符号２０１は、この電池パック１０の内部に風を送るための送風開口部である。この送風開口部２０１を通じてケース１２の内部には風が送られ、排気開口部２０２を通じてケース１２の内部から外部に風が出て行く。なお、このように送られる風は、後に説明する充電器６０により送られ、充電中の電池本体３０を冷却するように作用する。
図１に示すように、上側ケース１５の上面は、このケース１２の外周面をなす上面部２１として設定されている。この上面部２１は、スライドガイド部１７１，１７２の上面２１１、充放電端子１８の開口上側周辺２１２、送風開口部２０１の開口上側周辺２１３を、面一をなす位置に設定することより形成されている。このように面一をなす位置により形成された上面部２１は、上記した下面部１３１と同様に、電池パック１０の荷重を安定的に支持可能とする平らな面（平坦面）を形成することとなる。つまり、この上面部２１は、載置面に対して面で当てられて電池パック１０の荷重を支持することができる平坦面をなす。なお、スライドガイド部１７１，１７２の後端には、前側に向いて対面されるスライドストッパ面２２が設けられている。すなわち、スライドガイド部１７１，１７２の後端部分には、右側および左側となる外側へ張り出させた段差形状が設けられている。スライドストッパ面２２は、この段差形状が前側に向く面によって設定されるものとなっている。このスライドストッパ面２２は、電池パック１０のスライド完了した場合に被装着側のストッパ面（たとえば、図５のストッパ面６７３）に当接する面として設けられている。このスライドストッパ面２２は、前側に面した平面形状をなし、下側から上側に向かうしたがって僅かであるが後側に傾斜している。
【００１４】
ところで上側ケース１５には、フック用開口部２５１および操作用開口部２５２が設けられている。フック用開口部２５１は、雄フック機構２５の雄フック部２６１が外部に突出可能とする開口形状を有する。フック用開口部２５１から突き出された雄フック部２６１は、外部の不図示の機器本体の雌フック部（例えば充電器６０の雌フック部６８）に対して係合される。つまり、雄フック機構２５の雄フック部２６１は、平面をなす上側ケース１５の上面部２１の延在平面から、外側となる上側に突き出されている。すなわち、上面部２１が設けられる側が本発明に係るケースの一側に相当すると共に、雄フック機構２５の雄フック部２６１が本発明に係る凸形状部に相当する。また、この雄フック機構２５の雄フック部２６１は、本発明に係る電動工具用電池パックの係合部に相当する。つまり、この雄フック機構２５の雄フック部２６１は、ケース１２の一側の平坦な面をなす上面部２１に隣接して設けられている。この雄フック部２６１は、この平坦な面をなす上面部２１よりも上側に突き出されるようにして設けられている。
また、操作用開口部２５２は、雄フック機構２５の操作部２６２が外部に操作可能とされる開口形状を有する。操作部２６２は、フック用開口部２５１から外部に突き出されて、不図示の雌フック（例えば充電器６０の雌フック部６８）に対して係合されるる雄フック部２６１の係合を解除操作可能とする。すなわち、雄フック機構２５は、電池パック１０を機器本体に対してスライド装着させた場合に、この機器本体に対して取外し可能に係合する構造にて形成される。具体的には、雄フック機構２５は、図６に示すように、フック形状および指掛かり形状を具備するフック形構造体２６と、このフック形構造体２６を係合方向に付勢する付勢ばね２７とを備える。このフック形構造体２６は、上記した雄フック部２６１と操作部２６２とを一体にして形成される。
【００１５】
雄フック機構２５は、この付勢ばね２７の付勢力により自動的に雄フック部２６１を機器本体の雌フック部（例えば充電器６０の雌フック部６８）に係合させる。具体的には、雄フック部２６１は、前後方向に対して傾斜される押下げ面部２８１と、後側に面するストッパ面部２８２とを備える。押下げ面部２８１は、前側から後側に向かうにしたがって上側に突き出されるようになっており、前側から当たると下に向けて押し下げられるようになっている。また、ストッパ面部２８２は、後側に面して設けられている。このストッパ面部２８２の延在面方向は、雄フック部２６１の突出方向（付勢方向）に沿って延びる方向となっており、この電池パック１０のスライド装着する方向と直交する方向となっている。このため、このストッパ面部２８２は、電池パック１０が外される方向に向かって対面して当接することができ、この電池パック１０が外される方向への動きを規制するように作用する。なお、付勢ばね２７は、雄フック部２６１を上側に向けて付勢している。また、この雄フック部２６１には、右側面部２８３および左側面部２８４が設けられている。右側面部２８３は右側に面するように設定されており、左側面部２８４は左側に面するように設定されている。これら右側面部２８３および左側面部２８４も、収容された雌フック部６８の内部で対面して当接されることにより、充電装着部６６に対する電池パック１０の動きを規制するように作用する。
このように形成される雄フック部２６１は、電池パック１０をスライド装着させる場合には雄フック部２６１を押し下げるように作用する。また、電池パック１０のスライド完了した場合には雄フック部２６１は付勢ばね２７の付勢力により突き出されて雌フック部（例えば充電器６０の雌フック部６８）に係合された状態となる。なお、雄フック部２６１の雌フック部に係合されている状態では、雄フック部２６１のストッパ面部２８２と雌フック部とが対面当接することにより互いの動きは規制されるものとなっている。ここで、付勢ばね２７の付勢力に抗して操作部２６２が引き下げられると、この雌フック部に対して雄フック部２６１の係合を外すように作用する。そうすると、この雌フック部に対して雄フック部２６１の係合は解除されたものとなり、電池パック１０をスライド装着と逆方向にスライドさせて取り外すことができる。
【００１６】
電池本体３０は、図６に示すように、充電式電池となる電池パック１０としての各種の機能を有する。この電池本体３０は、電池セル３１と回路基板３５とを備える。電池セル３１は、長手方向を右左横方向にして上下に二段で並べられる１０本が配置されている。電池セル３１は、不図示のリード板を介して回路基板３５に電気的に接続されている。なお、１０本の電池セル３１は、充放電可能に構成されて不図示のセルホルダにて保持されている。
回路基板３５は、電池セル３１の上側に配置され、マイコンが装備されて各種の制御処理を行う。この回路基板３５は、リード板（不図示）を介して電池セル３１の状態を監視し、適宜に搭載されるマイクロコンピュータやその他の電材部品により電池セル３１の充放電に関する制御を行う。回路基板３５の上面には、上記した充放電端子１８と信号端子コネクタ１９とが設けられている。これら充放電端子１８と信号端子コネクタ１９とは、機器本体側の端子に対して接続される接続端子として構成されている。これら電源として工具本体（機器本体）に対して接続されている場合には放電用端子と機能し、充電するために充電器（機器本体）に対して接続されている場合には充電用端子と機能する。これに対して、信号端子コネクタ１９は、電池パック１０として機器本体に装着された際に、この機器本体との間で互いの情報が送受信される端子コネクタとして構成される。なお、送受信される信号は、回路基板３５の制御処理に基づいた情報となっている。
【００１７】
次に、上記した電池パック１０を充電するための専用の充電器６０について、図３〜図６を参照しながら説明する。この充電器６０は、従前より利用される充電器と同様に機能する構成となっている。すなわち、充電器６０は、外装をなす充電器ケース６２と、この充電器ケース６２の内部に装置される図示省略した充電器構成部品とを備える。なお、図６の充電器６０にあっては、充電器ケース６２の内部に装置される充電器構成部品の構成についての図示を省略している。この充電器６０は、家庭用電源コンセント（ＡＣ電源）から電力供給され、充電装着部６６に装着された電池パック１０を充電する。このため、充電器ケース６２には、外部に不図示の電源コードを引き出すためのコード口６２１が設けられている。
充電器ケース６２は、概略、上下の２つ割り構造をなす底部材６３とケース本体６５とにより構成される。これらの底部材６３とケース本体６５とは、上下方向に合体されて適宜の螺子部材により一体に螺子止めされる。合体されてなる充電器ケース６２は、内部に箱形の空間をなして不図示の充電器構成部品が装置可能とする。なお、これらの底部材６３とケース本体６５とを成形するための材料としては、例えばＰＰＥ（ポリフェニレンエーテル）樹脂等のプラスチック樹脂が選択されている。
底部材６３は、充電器ケース６２の底面（下面）を形成する。この底部材６３は、ケース本体６５の下部開口形状を閉塞する蓋形にて形成される。この底部材６３の下部には、図示する４つの脚部６４が設けられている。この４つの脚部６４は、載置面から適宜の距離を設定する充電器６０の脚として機能する。ケース本体６５は、下部が開口された略箱形をなす。
【００１８】
ところで、上記した充電器ケース６２は、充電器６０の外装をなす面を有する。すなわち、充電器ケース６２には、外装上面６１１、および４つの外装側面６１３，６１４，６１５，６１６が設けられている。これらの外装上面６１１および４つの外装側面６１３，６１４，６１５，６１６は、本発明に係る充電器外周面をなす。詳しく言えば、外装側面は、右側面６１３、左側面６１４、前側面６１５、後側面６１６の４つで構成される。ここで、この充電器ケース６２の外装上面６１１には、上記した電池パック１０を充電可能に装着可能とされる充電装着部６６が設けられている。
この充電装着部６６は、電池パック１０をスライド装着できるように構成されていると共に、このスライド装着させた電池パック１０を充電できるように構成されている。このため、充電装着部６６には、電池パック１０をスライド装着させるための構造が設けられていると共に、充電するための構造が設けられている。この充電装着部６６に設けられる電池パック１０をスライド装着させるための構造としては、スライドガイド部６７および雌フック部６８が挙げられる。また、充電装着部６６に設けられる電池パック１０を充電するための構造としては、端子カバー６９１および送風吹き口６９２等が挙げられる。
スライドガイド部６７としては、電池パック１０の右左にて対をなすスライドガイド部１７１，１７２に対応したスライドガイド部６７１，６７２が設けられている。具体的には、スライドガイド部６７１，６７２は、電池パック１０に設けられるスライドガイド部１７１，１７２がなす雄形に対応した雌形にて形成される。また、このスライドガイド部１７１，１７２の背面側端には、ストッパ面６７３が設けられている。このストッパ面６７３は、スライド装着させる電池パック１０のスライドストッパ面２２を当接させて、電池パック１０のスライドを止め、この充電装着部６６への電池パック１０のスライド完了させる。このため、このストッパ面６７３は、スライド完了した電池パック１０のスライドストッパ面２２に面当接可能な面形状を有している。
【００１９】
また、図５等に示すように、充電装着部６６には、雌フック部６８が設けられている。この雌フック部６８は、電池パック１０に設けられる雄フック機構２５の雄フック部２６１を係合させることができる凹形状をなして形成されている。なお、この雌フック部６８は、電池パック１０の雄フック部２６１（係合部）が係合されるものであり、本発明に係る第一の被係合部に相当する。すなわち、この雌フック部６８は、雄フック部２６１の雄形状に対応した雌形状を有して形成され、雄フック部２６１が収容されることにより電池パック１０は雄フック部２６１に係合された状態となる。この雌フック部６８に雄フック部２６１が係合された場合には、電池パック１０は充電装着部６６に装着保持された状態となる。詳しく言えば、この雌フック部６８には、雄フック部２６１に対応した複数の対面部６８１，６８２，６８３，６８４が設けられている。具体的には、傾斜対面部６８１は、雄フック部２６１の押下げ面部２８１に対面する。この傾斜対面部６８１も前後方向に対して傾斜されている。ストッパ対面部６８２は、雄フック部２６１のストッパ面部２８２に対面する。このストッパ対面部６８２は、電池パック１０のスライド装着方向に対して略直交する方向に沿って延びる面となっている。また、この雌フック部６８の右側対面部６８３は、雄フック部２６１の右側面部２８３と対面するように形成されている。また、この雌フック部６８の左側対面部６８４は、雄フック部２６１の左側面部２８４と対面するように形成されている。このように雌フック部６８の内部に収容された雄フック部２６１の前後左右の面部２８１，２８２，２８３，２８４は、前後左右で対面する雌フック部６８の対面部６８１，６８２，６８３，６８４に当接されるようになる。これによって、電池パック１０の充電装着部６６から外される方向への動きは規制され、さらに電池パック１０の充電装着部６６に対して右および左に向かう動きも規制されるようになる。つまり、雌フック部６８は、電池パック１０の充電装着部６６に対する右左のズレが抑えられつつ、電池パック１０の充電装着部６６からの外れが防止されることとなる。
【００２０】
この充電装着部６６に設けられる雌フック部６８は、本発明に係る凹形状部の一つとして機能する。雌フック部６８は、上記した雄フック部２６１の突き出しを収容するように凹まされている。この電池パック１０に設けられる雄フック機構２５の雄フック部２６１は、充電装着部６６に対して電池パック１０のスライド完了しないと雌フック部６８に収容されて雌フック部６８に係合されない。逆に言えば、充電装着部６６に対して電池パック１０のスライド完了すると、雄フック部２６１は雌フック部６８に対して係合されたスライド装着された状態となる。つまり、雄フック部２６１のストッパ面部２８２は、収容された雌フック部６８の内部で対面して当接して電池パック１０の外し方向への動きを規制する。このように雄フック部２６１が雌フック部６８に係合されると、電池パック１０は充電装着部６６に装着保持された状態となる。
なお、雄フック部２６１の雌フック部６８に対する係合は、雄フック機構２５の操作部２６２を操作しない限り保持されたままとなる。逆に言えば、雄フック機構２５の操作部２６２を操作した場合には、雌フック部６８の内部に収容されていた雄フック部２６１は外されることとなる。そうすると、雌フック部６８の内部で対面して当接されていた状態の雄フック部２６１のストッパ面部２８２の当接は解除されることとなり、雄フック部２６１の雌フック部６８に対する係合は解除されることとなる。これによって、電池パック１０を充電装着部６６から外す方向にスライドさせることにより、この電池パック１０を充電装着部６６から取り外すことができるようになる。
【００２１】
充電装着部６６に設けられる電池パック１０を充電するための構造としては、スライドガイド部１７１，１７２の間には、スライド装着された電池パック１０を充電する接続端子（不図示）が設けられている。この不図示の接続端子の上側には、この接続端子を保護するように接続端子の外周面を覆う端子カバー６９１が設けられている。この端子カバー６９１は、充電装着部６６に電池パック１０をスライド装着させていない場合に、不図示の接続端子が覆われる位置に配置されるように付勢されている。なお、充電装着部６６に電池パック１０がスライド装着させる場合には、この端子カバー６９１は電池パック１０のスライド装着を受けてスライドされる。スライドした端子カバー６９１は、この端子カバー６９１により覆われていた接続端子が接続可能となるように外部に露出される。ここで、露出された充電器６０の接続端子は、電池パック１０に設けられる充放電端子１８および信号端子コネクタ１９に対して電気的に接続されるものとなっている。なお、充放電端子１８および信号端子コネクタ１９が電気的に接続された電池パック１０は、この充電器６０により充電されることとなる。
また、図示符号６９２は、電池パック１０のケース１２の内部に風を送るための送風吹き口である。この送風吹き口６９２は、充電装着部６６に対して電池パック１０がスライド装着されると、電池パック１０の送風開口部２０１は充電装着部６６の送風吹き口６９２と対面配置される。そして、この電池パック１０が充電されている間は、送風吹き口６９２から吹き出される風は、送風開口部２０１を通じて電池パック１０のケース１２の内部に入って、排気開口部２０２を通じて電池パック１０のケース１２の内部から外部に風が出て行く。なお、このように充電時の電池パック１０に送られる風は、充電器６０の内部に装置される適宜のファンが回転することによるものとなっている。
【００２２】
この充電装着部６６は、充電器６０の外装上面６１１のうち左半分領域６０２の範囲において設けられるものとなっている。すなわち、図４および図５に示す符号６００は、充電器６０の左右中心を延ばした左右中心線として設定されている。このため、充電装着部６６は、左右中心線６００より左側となる左半分領域６０２の外装上面６１１に設けられるものとなっている。なお、この左右中心線６００より右側の領域となる右半分領域６０１には、後に詳述する保持面部７０が設けられるものとなっている。ちなみに、この充電器６０の外装上面６１１は、右半分領域６０１と左半分領域６０２とを含む広さに設定されている。つまり、充電器６０の外装上面６１１は、スライド装着される電池パック１０の上面視した範囲面積の少なくとも２倍以上の範囲面積を有して形成されている。
充電器６０の外装上面６１１のうち右半分領域６０１の範囲には、電池パック１０を載置させておくための保持面部７０が設けられる。この保持面部７０は、上記した電池パック１０を載置可能とする平坦面７１を有して形成されている。なお、この平坦面７１は、この第１の実施の形態の保持面部７０の範囲すべてに及ぶように設定されている。すなわち、この保持面部７０をなす平坦面７１は、載置した電池パック１０を支持する支持面として機能する。具体的には、保持面部７０をなす平坦面７１は、充電器６０を地面（充電器載置面）に載せた場合に、水平方向に平坦に延在される面として形成される。この水平方向に平坦に延びる平坦面７１は、保持面部７０に載せた電池パック１０の下面部１３１を面で当てて電池パック１０を支持する支持面として機能する。なお、この保持面部７０をなす平坦面７１の面積としては、上記した電池パック１０の下面部１３１の面積よりも広い面積となるように設定されている。具体的には、図示される電池パック１０の保持面部７０をなす平坦面７１の平坦面積（広さ）の前後方向の長さは、この充電器６０の前後方向の長さの半分以上（５割から７割）の長さを有するように設定されている。
【００２３】
この第１の実施の形態の充電器６０によれば、この充電器６０の外周面に保持面部７０が設けられている。ここで、この保持面部７０には、電池パック１０を載せた場合に電池パック１０の下面部１３１を面で当てて電池パック１０を支持する。これによって、この電池パック１０を使用しない場合には、充電装着部６６に装着させなくとも、この充電器６０の上に安定して電池パック１０を載せて保管することができる。つまり、これら電池パック１０および充電器６０をなるべく纏めて保管することができる。また、電池パック１０を載せておくための保持面部７０は、充電装着部６６に隣接するように設けられている。これによって、充電完了の電池パック１０を、充電装着部６６の隣に設けられる保持面部７０に簡単に置いておくことができて、より便利な充電器とすることができる。
なお、この第１の実施の形態の充電器６０の保持面部７０は、電池パック１０の下面部１３１を面で当てて電池パック１０を支持するものとなっている。しかしながら、本願発明の電動工具用電池パックの保持面部の広さとしては、電池パック１０の右側面部１３３、左側面部１３４、前側面部１３５、後側面部１３６のいずれかを面で当てて電池パック１０を支持するように設定されるものであってもよい。さらに言えば、本願発明の電動工具用電池パックの保持面部の平坦面積（広さ）としては、電池パック１０の前側面部１３３、左側面部１３４、前側面部１３５、後側面部１３６のいずれかを面で当てて電池パック１０を支持できるようにしてあればよく、図示される平坦面積に限定されるものではない。また、下面部１３１、右側面部１３３、左側面部１３４、後側面部１３６のそれぞれは、平らな面をなして平坦面７１に対して面で当てられて電池パック１０の荷重を安定的に支持する。また、右側面部１３３、左側面部１３４、後側面部１３６のそれぞれについても、保持面部７０に対して面で当てられた場合には電池パック１０の荷重を安定的に支持する。ただ、この電池パック１０の下面部１３１は、右側面部１３３や左側面部１３４や後側面部１３６と比べて、保持面部７０に対して当てられる面積が最大の面積に設定されているので、電池パック１０の荷重を最も安定して支持することができる。さらに、この保持面部７０をなす平坦面７１については、電池パック１０を載置させ易くするために、電池パック１０の大きさに合わせて適宜に段差が設けられるようにしたり、電池パック１０の大きさに合わせて適宜に枠組みが設けられるものであってもよい。また、この保持面部７０をなす平坦面７１については、載置された電池パック１０を保持され易くするために、適宜のマット部材が貼着されるようにしてもよい。このように、保持面部７０をなす平坦面７１にあっては、電池パック１０を載置させ易くしたり、載置された電池パック１０を保持させ易くしたりする、適宜の構成を別途で設けることができる。また、図示される電池パック１０の保持面部７０をなす平坦面７１の平坦面積（広さ）の前後方向の長さについては、この充電器６０の前後方向の長さの７割以上の長さを有するように設定されるものであってもよい。また、上記した電池パック１０にあっては、外装形状が略矩形のスライド装着タイプにて構成されるものであったが、本発明に係る電動工具用電池パックとしては、これに限定されるものではない。すなわち、本発明に係る電動工具用電池パックとしては、外装形状が３角形状にて構成される電池パックであってもよく、また差込装着タイプにて構成されるものであってもよい。つまり、このように構成される電池パックにあっても、上記した充電器６０の保持面部７０をなす平坦面７１に載置させておくことが可能な下面等の形状が設けられていれば、適宜のタイプの電動工具用電池パックを選択することができる。
【００２４】
［第２の実施の形態］
次に、上記した第１の実施の形態とは相違する第２の実施の形態について図７〜図１１を参照しながら説明する。この第２の実施の形態の充電器６０Ａは、上記した第１の実施の形態の充電器６０と比較して、保持面部７０に電池パック１０を載せて置く形態（載置形態）を変更した例となっている。すなわち、この第２の実施の形態の充電器６０Ａは、上下を引っ繰り返した電池パック１０を載置しておくことができる保持面部７０Ａを有して構成される。図７は、第２の実施の形態の電池パック１０と充電器６０Ａを側面視にて示す平面図である。図８は、図７の電池パック１０と充電器６０Ａを前面視にて示す平面図である。図９は、図７の電池パック１０と充電器６０Ａを上面視にて示す平面図である。図１０は、図８における(X)-(X)断面矢視を示す断面図である。図１１は、第２の実施の形態の充電器６０Ａの上側外観斜視を示す外観斜視図である。なお、上記した第１の実施の形態と同一もしくは略同様に構成される箇所については上記した符号を流用して、その説明を省略するものとする。また、このような符号の流用には、上記した符号と同一符号を付する流用であったり、この第２の実施の形態に対応した符号の末尾に‘Ａ’を追加して付する流用のいずれも含む。
図７等にて図示される電池パック１０も上記した第１の実施の形態の電池パック１０と同一に構成される。このため、この電池パック１０の構成の説明については、上記した第１の実施の形態の電池パック１０の説明を参照にされたい。また、図７等にて図示される充電器６０Ａは、電池パック１０を載置させておく保持面部７０Ａの構成以外の構成については、上記した第１の実施の形態の充電器６０と同一に構成される。このため、この保持面部７０Ａ以外の充電器６０Ａの構成については、上記した第１の実施の形態の充電器６０の説明を参照にされたい。
【００２５】
ところで、この第２の実施の形態の充電器６０Ａの保持面部７０Ａは、上下を引っ繰り返した電池パック１０を安定的に載せて置くことができるように構成される。すなわち、充電器６０の外装上面６１１のうち右半分領域６０１の範囲には、電池パック１０を載置させておくための保持面部７０Ａが設けられる。この保持面部７０Ａは、上記した電池パック１０を載置可能とする平坦面７１Ａと、この平坦面７１Ａの上側に設定されるフック収容部７３Ａと、が設けられている。このフック収容部７３Ａは、上記した充電装着部６６に設けられる雌フック部６８と略同等に構成される。つまり、フック収容部７３Ａは、電池パック１０の雄フック部２６１（係合部）が係合されるものであり、本発明に係る第二の被係合部に相当する。すなわち、フック収容部７３Ａは、雄フック部２６１の雄形状に対応した雌形状を有して形成され、雄フック部２６１のストッパ面部２８２は、収容されたフック収容部７３Ａの内部で対面して当接して電池パック１０の外し方向への動きを規制する。つまり、このフック収容部７３Ａにあっても、上記した雌フック部６８の形状と略同様の形状を有して形成されている。このため、このフック収容部７３Ａには、雌フック部６８と同様の、複数の対面部６８１Ａ，６８２Ａ，６８３Ａ，６８４Ａが設けられている。なお、この複数の対面部６８１Ａ，６８２Ａ，６８３Ａ，６８４Ａは、上記した雌フック部６８に設けられる複数の対面部６８１，６８２，６８３，６８４と同様に機能する。ただ、この保持面部７０Ａには、上記したスライドガイド部６７に相当する構成が設けられていない。このため、このフック収容部７３Ａには、雄フック機構２５の雄フック部２６１が係合されるのではなく、単純に収容されるのみとなっている。つまり、この保持面部７０Ａに設けられるフック収容部７３Ａは、本発明に係る凹形状部の一つとして機能することとなる。
この第２の実施の形態の充電器６０Ａによれば、上記した第１の実施の形態の充電器６０と略同様の作用効果を奏することができる上、更に次の点で有利となる。すなわち、この第２の実施の形態の充電器６０Ａによれば、上下を引っ繰り返して電池パック１０を安定的に載せて置くことができるので、電気的な接続側となる電池パック１０の上部側を外部に露出させずに済む。これによって電気的な接続側となる電池パック１０の上部側を保護した状態で、これら電池パック１０および充電器６０を纏めて保管することができる。
【００２６】
［第３の実施の形態］
次に、上記した第１および第２の実施の形態とは相違する第３の実施の形態について図１２〜図１７を参照しながら説明する。この第３の実施の形態の充電器６０Ｂは、上記した電池パック１０を保持する機能を有する保持面部７０，７０Ａの構成が、充電器ケース６２の右側面６１３、左側面６１４、後側面６１６の３方向に設けられるようにした例となっている。なお、これら右側面６１３、左側面６１４、後側面６１６のそれぞれに設けられる第１および第２側方保持面部７０Ｂ１，７０Ｂ２は、電池パック１０をスライド装着させるための構造と同一あるいは一部省略された構造にて構成される。なお、上記した第１および第２の実施の形態と同一もしくは略同様に構成される箇所については、上記した符号を流用して、その説明を省略するものとする。また、このような符号の流用には、上記した符号と同一符号を付する流用であったり、この第３の実施の形態の電池パックに対応した符号の末尾に‘Ｂ’を追加して付する流用のいずれも含む。図１２は、第３の実施の形態の電池パック１０と充電器６０Ｂを右側面視にて示す平面図である。図１３は、図１２の電池パック１０と充電器６０Ｂを左側面視にて示す平面図である。図１４は、図１２の電池パック１０と充電器６０Ｂを上面視にて示す平面図である。図１５は、図１４における(XV)-(XV)断面矢視を示す断面図である。図１６は、第３の実施の形態の充電器６０Ｂの上側外観斜視を示す外観斜視図である。図１７は、図１６の充電器６０Ｂを左側面視にて示す平面図である。
【００２７】
図１６等に示すように、充電器ケース６２の右側面６１３および後側面６１６のそれぞれには、電池パック１０を保持する機能を有する第１側方保持面部７０Ｂ１が設けられている。この第１側方保持面部７０Ｂ１は、スライドガイド部７５Ｂが設けられることにより構成される。このスライドガイド部７５Ｂは、上記した充電装着部６６に設けられるスライドガイド部６７と略同一に構成される。このスライドガイド部７５Ｂとしては、上記した充電装着部６６に設けられるスライドガイド部６７と同様に、電池パック１０の右左にて対をなすスライドガイド部１７１，１７２に対応したスライドガイド部６７１，６７２が設けられることにより構成される。具体的には、スライドガイド部６７１，６７２は、電池パック１０に設けられるスライドガイド部１７１，１７２がなす雄形に対応した雌形にて形成される。このスライドガイド部７５Ｂには、電池パック１０を上側から下側にスライドさせた場合の適宜位置にて保持されるようになっている。なお、この右側面６１３および後側面６１６のそれぞれに設けられる第１側方保持面部７０Ｂ１には、上記した第２の実施の形態にて説明したフック収容部７３Ａは設けられていない。つまり、このスライドガイド部７５Ｂに保持される電池パック１０は、電池パック１０自身の自重によりスライド装着されるように保持されたものとなっている。なお、このスライドガイド部７５Ｂにも、充電装着部６６に設けられるスライドガイド部６７と同様に、上側端には、ストッパ面７７Ｂが設けられている。このストッパ面７７Ｂは、スライド装着させる電池パック１０のスライドストッパ面２２を当接させて、電池パック１０のスライドを止め、この充電装着部６６への電池パック１０のスライド完了させる。このため、このストッパ面７７Ｂも、スライド完了した電池パック１０のスライドストッパ面２２に面当接可能な面形状を有している。
【００２８】
これに対して、充電器ケース６２の左側面６１４には、電池パック１０を保持する機能を有する第２側方保持面部７０Ｂ２が設けられている。この第２側方保持面部７０Ｂ２には、上記した第１側方保持面部７０Ｂ１のスライドガイド部７５Ｂと似ているスライドガイド部７６Ｂが設けられているのに加えて、さらに雌フック部７３Ｂが設けられている。この第２側方保持面部７０Ｂ２をなすスライドガイド部７６Ｂは、この第１側方保持面部７０Ｂ１と比較してストッパ面７７Ｂが設けられていない。このため、この第２側方保持面部７０Ｂ２では、雌フック部７３Ｂによる係合によりスライド完了した電池パック１０のスライドを止めるようにされる。雌フック部７３Ｂにあっては、上記した充電装着部６６に設けられる雌フック部６８と略同一に構成される。具体的には、雌フック部７３Ｂは、図１５に示すようにスライドガイド部７６Ｂよりも上側に設けられる。この雌フック部７３Ｂは、上側から下側にスライドさせる電池パック１０のスライド完了と同時に、電池パック１０の雄フック部２６１を係合させる。この雌フック部７３Ｂに対する雄フック部２６１の係合は、上記した操作部２６２の操作により解除されるようになっている。
この第３の実施の形態の充電器６０Ｂによれば、上記した第１および第２の実施の形態の充電器６０と略同様の作用効果を奏することができる上、電池パック１０を保持する箇所が３箇所となるので、より多くの電池パック１０を纏めて保管することができる。なお、第２側方保持面部７０Ｂ２にあっては、第１側方保持面部７０Ｂ１と比較して、スライドガイド部７６Ｂに対して雌フック部７３Ｂが追加して設けられている。このため、第１側方保持面部７０Ｂ１では、電池パック１０は単純な電池パック１０自身の重さにより、充電器６０に保持されるものとなっている。この際、第１側方保持面部７０Ｂ１のストッパ面７７Ｂは、電池パック１０のスライドストッパ面２２に対して面で当接させており、電池パック１０が落ちないように支持している。これに対して、第２側方保持面部７０Ｂ２では、電池パック１０は雌フック部７３Ｂにより係合されているので、より強固に充電器６０に保持されるものとなっている。なお、このように雌フック部７３Ｂを設ける場合には、電池パック１０を下側から上側にスライド装着させるようにして、この第２側方保持面部７０Ｂ２に電池パック１０を保持させるものであってもよい。また、このように保持される電動工具用電池パックとしては、必ずしも雄フック部２６１を要するものではなく、雄フック２６１が設けられていないタイプの電動工具用電池パックにて構成されるものであってもよい。
【００２９】
［第４の実施の形態］
次に、上記した第１〜第３の実施の形態とは相違する第４の実施の形態について図１８〜図２４を参照しながら説明する。この第４の実施の形態の電池パック１０Ｃは、電池パック１０Ｃ同士を重ねて配置することができるように構成されている。また、この第４の実施の形態の充電器６０Ｃは、このように構成される電池パック１０Ｃを載置させておくことができるように構成されている。図１８は、第４の実施の形態の電池パック１０Ｃの下側外観斜視を示す外観斜視図である。図１９は、第４の実施の形態の充電器６０Ｃの上側外観斜視を示す外観斜視図である。図２０は、図１８の電池パック１０Ｃと図１９の充電器６０Ｃとの係合箇所を示す断面図である。図２１は、３つの電池パック１０Ｃが上下方向で積まれているのを示す外観斜視図である。図２２は、図２１の３つ電池パック１０Ｃを後面視にて示す平面図である。図２３は、図２１の３つ電池パック１０Ｃを側面視にて示す平面図である。図２４は、図２２における(XXIV)-(XXIV)断面矢視を示す断面図である。なお、上記した第１〜第３の実施の形態と同一もしくは略同様に構成される箇所については、上記した符号を流用して、その説明を省略するものとする。また、このような符号の流用には、上記した符号と同一符号を付する流用であったり、この第４の実施の形態の電池パックに対応した符号の末尾に‘Ｃ’を追加して付する流用のいずれも含む。すなわち、第４の実施の形態の電池パック１０Ｃは、図１８に示すように、下面部１３１にフック収容部４０Ｃが設けられている。このフック収容部４０Ｃは、本発明に係る凹形状部に相当し、上記した雄フック部２６１を嵌め込む収容を可能とするように形成される。逆に言えば、雄フック部２６１は、本発明に係る凸形状部に相当し、図２４に示すようにフック収容部４０Ｃに嵌め込まれる収容を可能とするように形成される。つまり、本発明に係る凹形状部に相当するフック収容部４０Ｃは、雄フック部２６１が設けられる上側とは反対側の下側に設けられている。つまり、雄フック部２６１は、本発明に係る一側の面としての上面側に設けられており、フック収容部４０Ｃは、本発明に係る他側の面としての下面側に設けられている。
【００３０】
ところで、このフック収容部４０Ｃは、充電装着部６６に設けられる雌フック部６８と略同一に構成される。つまり、このフック収容部４０Ｃにあっても、上記した雌フック部６８の形状と略同様の形状を有して形成されている。このため、このフック収容部４０Ｃには、雌フック部６８と同様の、複数の対面部６８１Ｃ，６８２Ｃ，６８３Ｃ，６８４Ｃが設けられている。なお、この複数の対面部６８１Ｃ，６８２Ｃ，６８３Ｃ，６８４Ｃは、上記した雌フック部６８に設けられる複数の対面部６８１，６８２，６８３，６８４と同様に機能する。ただ、この電池パック１０Ｃの下面部１３１には、上記したスライドガイド部６７に相当する構成が設けられていない。このため、雄フック機構２５の雄フック部２６１は、この雌フック部６８に対して係合するのではなく、単純に収容されるのみとなっている。なお、このフック収容部４０Ｃにあっては、ケース１２の内部に並列されて装置される電池セル３１同士の間に位置されるように設定されている。
また、第４の実施の形態の充電器６０Ｃは、図１９に示すように、雄フック部２６１の凸形状を模して形成されるフック形凸部７２Ｃが設けられている。このフック形凸部７２Ｃも、図２０に示すように、本発明に係る凸形状部に相当し、図２４に示すようにフック収容部４０Ｃに収容可能に形成される。ここでフック収容部４０Ｃに対してフック形凸部７２Ｃが収容されると、ケース１２の外周面をなす上面部２１は、保持面部７０Ｃをなす平坦面７１Ｃに面で当たることとなる。そうすると、このケース１２の上面部２１が当たる平坦面７１Ｃは、電池パック１０を支持する支持面として機能する。なお、この保持面部７０Ｃをなす平坦面７１Ｃは、上記した第１の実施の形態により説明した平坦面７１と同様に形成されている。つまり、水平方向に平坦に延びる平坦面７１Ｃは、保持面部７０Ｃに載せた電池パック１０の上面部２１を面で当てて電池パック１０を支持する支持面として機能する。
ところで、フック形凸部７２Ｃはフック収容部４０Ｃに嵌まり込むように収容されるので、フック収容部４０Ｃに対するフック形凸部７２Ｃの相対移動は規制されることとなる。これによって、この保持面部７０Ｃに載せられた電池パック１０は、この充電器６０Ｃ（保持面部７０Ｃ）に対する前後左右方向の相対移動は規制されるようになる。したがって、電池パック１０Ｃを安定的に充電器６０Ｃに載置させておくことができる。
【００３１】
また、この第４の実施の形態の電池パック１０Ｃにあっては、図２１等に示すように複数の電池パック１０Ｃを上下方向で重ねて置いておくことができる。すなわち、図２１〜図２４に示す３つの電池パック１０Ｃにあっては、これら３つを上下方向（高さ方向）に並べるように重ねて配置されている。このように配置された３つの電池パック１０Ｃにあっては、下側に置かれる電池パック１０Ｃの雄フック部２６１が、上側に置かれる電池パック１０Ｃのフック収容部４０Ｃに嵌まり込むように収容される。そうすると、電池パック１０Ｃの下面部１３１は、電池パック１０Ｃの外周面をなす上面部２１に面で当たることとなり、この電池パック１０Ｃの上面部２１は電池パック１０を支持する支持面として機能する。つまり平坦面をなす電池パック１０Ｃの上面部２１が、この上面部２１の上側に置かれる電池パック１０の下面部１３１を支持して、３つの電池パック１０Ｃを上下方向で重ねて置いておくことができる。
ところで、フック収容部４０Ｃは雄フック部２６１を嵌め込むように収容するので、フック収容部４０Ｃに対する雄フック部２６１の相対移動は規制されることとなる。これによって、このように積み重ねられた電池パック１０Ｃは、互いの電池パック１０Ｃ同士の前後左右方向の相対移動は規制されるようになる。したがって、電池パック１０Ｃ同士を安定的に積み重ねて置いておくことができる。
【００３２】
［第５の実施の形態］
次に、上記した第１〜第４の実施の形態とは相違する、第５〜第７の実施の形態について図２５〜図３５を参照しながら説明する。第５〜第７の実施の形態の電池パック１０Ｄ，１０Ｅ，１０Ｆは、複数の電池パック同士を纏めるための構造が設けられてる。なお、第５および第６の実施の形態の電池パック１０Ｄ，１０Ｅについては、左右方向で電池パック１０Ｄ，１０Ｅを並列させて１つの束となるように纏められる。このため、この第５および第６の実施の形態の電池パック１０Ｄ，１０Ｅでは、左右方向で隣接対面される右側面部１３３と左側面部１３４とを互いに係合（例えば嵌合）させるようになっている。これに対して、第７の実施の形態の電池パック１０Ｆについては、上下方向で電池パック１０Ｆを並列させて１つの束となるように纏められる。このため、この第７の実施の形態の電池パック１０Ｆでは、上下方向で隣接対面される上面部２１と下面部１３１とを互いに係合（例えば嵌合）させるようになっている。
すなわち、第５および第６の実施の形態の電池パック１０Ｄ，１０Ｅでは、左右方向で並列させて１つの束となるように纏めれる構造が設けられている。すなわち、左右方向で並列させた電池パック１０Ｄ，１０Ｅ同士は、互いの対面箇所同士に係合可能な構造が設けられている。より詳しく言えば、電池パック１０Ｄ，１０Ｅの一側（例えば右側）には雌形の嵌合構造（本発明に係る凹形状部）が設けられており、この電池パック１０Ｄ，１０Ｅの他側（例えば左側）には、この雌形が嵌合される雄形の嵌合構造が設けられている。なお、この雌形の嵌合構造は本発明に係る凹形状部に相当するものであり、この雄形の嵌合構造は本発明に係る凸形状部に相当するものとなっている。また、このような雌形および雄形の構造にあっては、雌専用と雄専用とのそれぞれの構造が右側面部１３３および左側面部１３４に分けられて単一種類で設けられるものであってもよく、雄雌両用の構造が右側面部１３３および左側面部１３４のそれぞれに複数種類で設けられるものであってもよい。
【００３３】
すなわち、図２５は、第５の実施の形態の電池パック１０Ｅの上側外観斜視を示す外観斜視図である。図２６は、図２５の電池パック１０Ｅの下側外観斜視を示す外観斜視図である。図２７は、連結させてある３つ電池パック１０Ｅを上面視にて示す平面図である。図２５〜図２７に示すように、第５の実施の形態の電池パック１０Ｄの雄雌の嵌合構造は、嵌合させる方向が上下方向に設定されている例となっている。具体的には、電池パック１０Ｄの右側面部１３３には、雌形嵌合部８１Ｄが設けられている。この雌形嵌合部８１Ｄは、下側ケース１３Ｄの右側面部１３３に複数となる２つ設けられている。この２つの雌形嵌合部８１Ｄは、この電池パック１０Ｄの前後端から均等にバランスされる位置にそれぞれ設けられている。これに対して、電池パック１０の左側面部１３４には、雄形嵌合部８５Ｄが設けられている。この雄形嵌合部８５Ｄも、下側ケース１３Ｄの左側面部１３４に複数となる２つ設けられている。この２つの雄形嵌合部８５Ｄも、この電池パック１０Ｄの前後端から均等にバランスされた位置にそれぞれ設けられている。これら雌形嵌合部８１Ｄと雄形嵌合部８５Ｄとは、電池パック１０Ｄを左右方向で並列配置した場合に、互いに対面する箇所に設けられている。つまり、これら雌形嵌合部８１Ｄ（雌形の嵌合構造）と雄形嵌合部８５Ｄ（雄形の嵌合構造）とは、互いの配設箇所同士を結ぶ線が電池パック１０Ｆの中心軸線が延びる方向と直交する対称位置に設定されている。具体的には、雌形嵌合部８１Ｄは、右側面部１３３から幅方向外側に突き出されて上面視Ｃ形をなす雌部８２Ｄが設けられている。この雌部８２Ｄは、上下方向で内部が貫通されるように形成されている。これに対して雄形嵌合部８５Ｄも、左側面部１３４から幅方向外側に突き出されて上面視円形をなす雄部８６Ｄが設けられている。この雄部８６Ｄは、雌部８２Ｄに対して上下方向で嵌め込むことができる。
この第５の実施の形態の電池パック１０Ｄの雄雌の嵌合構造によれば、左右方向で並列される電池パック１０Ｄ同士の雌形嵌合部８１Ｄと雄形嵌合部８５Ｄとを嵌合させて、１つに纏めることができる。つまり、左右方向で並列させた複数の電池パック１０Ｄ同士が１つの束となるように、これら複数の電池パック１０Ｄ同士を纏めて置いておくことができる。なお、この第５の実施の形態の電池パック１０Ｄの雄雌の嵌合構造では上下方向でポツを嵌合させて互いを一体にさせるので、例えば電池パック１０Ｄの前後方向のスペースが狭い場合に嵌合させ易くすることができる。
【００３４】
［第６の実施の形態］
これに対して、図２８は、第６の実施の形態の電池パック１０Ｅの上側外観斜視を示す外観斜視図である。図２９は、図２８の電池パック１０Ｅの下側外観斜視を示す外観斜視図である。図３０は、連結させてある３つ電池パック１０Ｅを後面視にて示す平面図である。すなわち、図２８〜図３０に示すように、第６の実施の形態の電池パック１０Ｅの雄雌の嵌合構造は、嵌合させる方向が前後方向に設定されている例となっている。具体的には、電池パック１０の右側面部１３３には、前後方向の延びる雌形嵌合部８１Ｅが設けられている。この雌形嵌合部８１Ｅは、下側ケース１３Ｅの右側面部１３３の前後範囲に亘って設けられている。これに対して、電池パック１０Ｅの左側面部１３４には、前後方向の延びる雄形嵌合部８５Ｅが設けられている。この雄形嵌合部８５Ｅも、下側ケース１３Ｅの左側面部１３４の前後範囲に亘って設けられている。これら雌形嵌合部８１Ｅと雄形嵌合部８５Ｅとは、電池パック１０Ｅを左右方向で並列配置した場合に、互いに対面する箇所に設けられている。具体的には、雌形嵌合部８１Ｅは、右側面部１３３から幅方向外側に突き出されて互いに上下方向で内向きをなす雌フランジ部８２Ｅ，８３Ｅを有している。この雌フランジ部８２Ｅ，８３Ｅは、上側にて下側に向けて鉤型に形成される上側雌フランジ部８２Ｅと、下側にて上側に向けて鉤型に形成される下側雌フランジ部８３Ｅとを有する。これら上側雌フランジ部８２Ｅと下側雌フランジ部８３Ｅとは、互いに上下で向かい合わせた状態で前後方向に延ばすように形成されている。これに対して雄形嵌合部８５Ｅも、左側面部１３４から幅方向外側に突き出されて互いに上下方向で外向きをなす雄フランジ部８６Ｅ，８７Ｅを有している。この雄フランジ部８６Ｅ，８７Ｅは、上側にて上側に向けて鉤型に形成される上側雄フランジ部８６Ｅと、下側にて下側に向けて鉤型に形成される下側雄フランジ部８７Ｅとを有する。これら上側雄フランジ部８６Ｅと下側雄フランジ部８７Ｅとは、互いに上下で反対側を向かせた状態で前後方向に延ばすように形成されている。
この第６の実施の形態の電池パック１０Ｅの雄雌の嵌合構造によれば、左右方向で並列される電池パック１０Ｅ同士の雌形嵌合部８１Ｅと雄形嵌合部８５Ｅとを嵌合させて、１つに纏めることができる。つまり、左右方向で並列させた複数の電池パック１０Ｅ同士が１つの束となるように、これら複数の電池パック１０Ｅ同士を纏めて置いておくことができる。なお、この第６の実施の形態の電池パック１０Ｅの雄雌の嵌合構造では前後方向でスライドさせることにより嵌合させて互いを一体にさせるので、例えば電池パック１０Ｅの上下方向のスペースが狭い場合に嵌合させ易くすることができる。なお、電池パック１０Ｅにあってはスライド装着タイプにて構成されるものであったが、本発明に係る電動工具用電池パックとしては、これに限定されることなく、差し込んで装着させる差込装着タイプにて構成されるものであってもよい。
【００３５】
［第７の実施の形態］
図３１は、第７の実施の形態の電池パック１０Ｆの上側外観斜視を示す外観斜視図である。図３２は、図３１の電池パック１０Ｆの下側外観斜視を示す外観斜視図である。図３３は、図３１の電池パック１０Ｆを上下二段とした係合箇所の断面を示す断面図（図３１における(XXXIII)-(XXXIII)断面矢視を示す）である。図３４は、図３３の上下二段の電池パック１０Ｆを取り付けた電動工具１００を示す斜視図である。図３５は、図３４における(XXXV)-(XXXV)断面矢視を示す断面図である。なお、図示される電動工具１００は、広く利用されるドライバドリルとして構成されている。
図３１〜図３５に示す電池パック１０Ｆは、上記した雄フック機構２５が取り除かれており、代わりに雌フック部９１が設けられている。この雌フック部９１は、上記した雄フック機構２５を取り除いた箇所に、上記した雌フック部（例えば充電器６０の雌フック部６８）に相当する壁構造が設けられることにより構成される。つまり、図３５に示すように、電動工具１００の工具本体１０１には、雄フック機構１０２が設けられている。この雄フック機構１０２は、上記した電池パック１０に設けられる雄フック機構２５と同等の機能を有する。すなわち、雄フック機構１０２は、上記した雄フック機構２５と同様、フック形構造体１０３と付勢ばね１０７とを備える。フック形構造体１０３は、雄フック部１０４と操作部１０５とが一体に形成されている。雄フック部１０４は、電池パック１０Ｆに設けられる雌フック部９１に係合可能に形成される。つまり、雄フック部１０４にも、上記した電池パック１０に設けられる雄フック機構２５のように機能する押下げ面部１０４１とストッパ面部１０４２とが設けられている。
【００３６】
このように構成される電池パック１０Ｆにも、上記したような雄雌の嵌合構造が設けられている。この雄雌の嵌合構造は、嵌合させる方向が上下方向に設定されるものとなっている。すなわち、電池パック１０Ｆの上面部２１には、雌形嵌合部８１Ｆが設けられている。また、電池パック１０Ｆの下面部１３１には、この雌形嵌合部８１Ｆに対して嵌合する雄形嵌合部８５Ｆが設けられている。この第７の実施の形態では、雌形嵌合部８１Ｆは凹溝形状にて形成されており、雄形嵌合部８５Ｆは凸条形状にて形成されている。また、この雌形嵌合部８１Ｆと雄形嵌合部８５Ｆとは４組となる複数組設けられている。具体的には、雌形嵌合部８１Ｆは、スライドガイド部１７１，１７２に対して２組設けられ、さらに充放電端子１８（プラス接続用端子１８１，マイナス接続用端子１８２）に対して２組設けられ、合計４つ設けられている。
すなわち、スライドガイド部１７１，１７２に対して設けられる２組のそれぞれには、このスライドガイド部１７１，１７２の上面を刳り貫くように凹溝部８２１，８２２が設けられている。なお、この凹溝部８２１，８２２のうち右側のスライドガイド部１７１に設けられる凹溝部８２１については、外側部分が切り欠かれるようにした形状が選択されている。これらの凹溝部８２１，８２２は、スライドガイド部１７１，１７２が延びる方向にしたがって延びている。また、この凹溝部８２１，８２２の長さ範囲としては、このスライドガイド部１７１，１７２が設けられる長さに沿って設定されている。また、この凹溝部８２１，８２２の凹溝深さとしては、凸条雄部８６１，８６２を嵌合可能な適切な深さが設定されている。なお、この凹溝部８２１，８２２にあっては、電池パック１０の軽量化にも貢献する肉抜き形状としても機能する。
【００３７】
さらに、充放電端子１８（プラス接続用端子１８１，マイナス接続用端子１８２）に対して設けられる２組のそれぞれには、この充放電端子１８のために設けられる上側ケース１５のスリット溝１８３，１８４の周囲を刳り貫くように凹段差部８３１，８３２が設けられている。これらの凹段差部８３１，８３２は、充放電端子１８のためのスリット溝１８３，１８４が設けられる範囲にしたがって延びている。つまり、凹段差部８３１，８３２は、充放電端子１８のためのスリット溝１８３，１８４が配設されている箇所の周囲を、一段下げる段差形状を設定することにより形成される。なお、この一段下げる段差形状の段差深さとしては、上記した凹溝部８２１，８２２と同様、凸条雄部８７１，８７２を嵌合可能な適切な深さが設定されている。なお、この凹段差部８３１，８３２にあっても、電池パック１０の軽量化にも貢献する肉抜き形状としても機能する。
電池パック１０Ｆの下面部１３１には、上記した４つの雌形嵌合部８１Ｆに対して嵌合する４つの雄形嵌合部８５Ｆが設けられている。この第７の実施の形態の雄形嵌合部８５Ｆは、上記した４つの雌形嵌合部８１Ｆに対応した長さの凸条形状にて形成されている。具体的には、電池パック１０Ｆの下面部１３１には、凸条雄部８６１，８６２，８７１，８７２が４つ並列されて設けられている。これら凸条雄部８６１，８６２，８７１，８７２は、下面部１３１から下側に適宜に突き出された形状を有している。これら凸条雄部８６１，８６２，８７１，８７２は、凸条形状として下面部１３１に対して前後方向に延びて形成されている。なお、この下面部１３１には、上記した雌フック部９１に対応した形状をなす逃げ凹部９３が設けられている。
【００３８】
なお、この凸条雄部８６１，８６２，８７１，８７２は、上記した上面部２１に設けられる凹溝部８２１，８２２および凹段差部８３１，８３２に対して圧入させることにより嵌合可能に形成される。なお、この凸条雄部８６１，８６２，８７１，８７２としては、別途で成形された樹脂部材が貼り付けられることにより下面部１３１に設けられるものであってもよい。なお、この樹脂部材としては、適宜に弾性を有する樹脂が成形されることにより形成されるものであってもよい。このように弾性を有する樹脂により凸条雄部８６１，８６２，８７１，８７２を設けた場合には、この凸条雄部８６１，８６２，８７１，８７２の弾性変形によって、凹溝部８２１，８２２および凹段差部８３１，８３２に対して圧入よる嵌合をより好ましく行うことができる。
この第７の実施の形態の電池パック１０Ｆの雄雌の嵌合構造によれば、上下方向で並列される電池パック１０Ｆ同士の雌形嵌合部８１Ｆと雄形嵌合部８５Ｆとを嵌合させて、１つに纏めることができる。つまり、上下方向で並列させた複数の電池パック１０Ｆ同士が１つの束となるように、これら複数の電池パック１０Ｆ同士を纏めて置いておくことができる。なお、この第７の実施の形態の電池パック１０Ｆの雄雌の嵌合構造では、電動工具１００に電池パック１０Ｆを装着させた状態でも、その下に別の電池パック１０Ｆを並列して積み重ねることができる。なお、上記した電池パック１０Ｆの雄雌の嵌合構造にあっては、上記した凸条雄部が電池パックの上側に設けられ、且つ上記した凹溝部が電池パックの下側に設けられるようにし、雄雌の嵌合構造が構成されるものであってもよい。また、このような電池パックの雄フック部および雌フック部の構造としては、上面から突出させずに構成されるものであればよく、例えばスライドガイド部１７１，１７２の下側に配置されるようにして設けられるものであってもよい。
【００３９】
なお、本発明に係る電動工具用電池パックにあっては、上記した実施の形態に限定されるものではなく、次のように適宜個所を変更して構成するようにしてもよい。すなわち、上記した実施の形態にあっては、電池セルの個数が１０個に設定されるものであったが、本発明に係る電池セルの個数としては、これに限定されることなく、適宜の個数が設けられるものであってもよい。また、本発明に係る電動工具用電池パックにあっては、上記した第５〜第７の実施の形態のような、複数の電池パック１０Ｄ，１０Ｒ，１０Ｆ同士を纏めるための構造を、充電器６０に対して流用するように構成されるものであってもよい。つまり、並列させた電池パック１０Ｄ，１０Ｅ同士を係合させておくための、雄雌の嵌合構造（８１Ｄ，８６Ｄの構成、８１Ｅ，８６Ｅの構成、８１Ｆ，８６Ｆの構成）を充電器に対して流用するものであってもよい。このように充電器を構成した場合には充電器を上記した電池パック１０のように纏めることができる。
また、上記した本発明に係る係合凸部としての雄形の嵌合構造（８１Ｄ，８１Ｅ，８１Ｆ）と、上記した本発明に係る係合凹部としての雌形の嵌合構造（８５Ｄ，８５Ｅ，８５Ｆ）とは、電池パック１０Ｄ，１０Ｅ，１０Ｆの構成において四方向の側面部１３３，１３４，１３５，１３６に対して設けられるものであってもよく、さらに上面部２１及び下面部１３１に対して設けられるものであってもよい。
【符号の説明】
【００４０】
１０，１０Ｃ，１０Ｄ，１０Ｅ，１０Ｆ  電池パック（電動工具用電池パック）
１２  ケース
１３  下側ケース
１３１  下面部
１３３  前側面部
１３３  右側面部
１３４  左側面部
１３５  前側面部
１３６  後側面部
１４１  螺子孔
１４２  排水孔
１５  上側ケース
１６  螺子ボス
１７１，１７２  スライドガイド部
１８  充放電端子
１８１  プラス接続用端子
１８２  マイナス接続用端子
１８３，１８４  スリット溝
１９  信号端子コネクタ
２０１  送風開口部
２０２  排気開口部
２１  上面部
２２  スライドストッパ面
２５  雄フック機構
２６  フック形構造体
２６１  雄フック部
２６２  操作部
２８１  押下げ面部
２８２  ストッパ面部
２９  螺子部材
３０  電池本体
３１  電池セル
３５  回路基板
４０Ｃ  フック収容部
６０，６０Ａ，６０Ｂ，６０Ｃ  充電器
６００  左右中心線
６０１  右半分領域
６０２  左半分領域
６２  充電器ケース
６３  底部材
６４  脚部
６５  ケース本体
６６  充電装着部
６７  スライドガイド部
６８  雌フック部
６１１  外装上面
６１３，６１４，６１５，６１６  外装側面
６７１，６７２  スライドガイド部
６７３  ストッパ面
６８１  傾斜対面部
６８２  ストッパ対面部
６８３  右側対面部
６８４  左側対面部
６９１  端子カバー
６９２  送風吹き口
７０  保持面部
７０Ｂ１  第１側方保持面部
７０Ｂ２  第２側方保持面部
７１  平坦面
７２Ｃ  フック形凸部
７３Ａ  フック収容部
７３Ｂ  雌フック部
７５Ｂ，７６Ｂ  スライドガイド部
７７Ｂ  ストッパ面
８１Ｄ，８１Ｅ，８１Ｆ  雌形嵌合部
８２Ｄ  雌部
８２Ｅ，８３Ｅ  雌フランジ部
８２１，８２２  凹溝部
８３１，８３２  凹段差部
８５Ｄ，８５Ｅ，８５Ｆ  雄形嵌合部
８６Ｅ，８７Ｅ  雄フランジ部
８６１，８６２，８７１，８７２  凸条雄部
９１  雌フック部
９３  凹部
１００  電動工具
１０１  工具本体
１０２  雄フック機構
【図１】
2015011767.tif 000003
【図２】
2015011767.tif 000004
【図３】
2015011767.tif 000005
【図４】
2015011767.tif 000006
【図５】
2015011767.tif 000007
【図６】
2015011767.tif 000008
【図７】
2015011767.tif 000009
【図８】
2015011767.tif 000010
【図９】
2015011767.tif 000011
【図１０】
2015011767.tif 000012
【図１１】
2015011767.tif 000013
【図１２】
2015011767.tif 000014
【図１３】
2015011767.tif 000015
【図１４】
2015011767.tif 000016
【図１５】
2015011767.tif 000017
【図１６】
2015011767.tif 000018
【図１７】
2015011767.tif 000019
【図１８】
2015011767.tif 000020
【図１９】
2015011767.tif 000021
【図２０】
2015011767.tif 000022
【図２１】
2015011767.tif 000023
【図２２】
2015011767.tif 000024
【図２３】
2015011767.tif 000025
【図２４】
2015011767.tif 000026
【図２５】
2015011767.tif 000027
【図２６】
2015011767.tif 000028
【図２７】
2015011767.tif 000029
【図２８】
2015011767.tif 000030
【図２９】
2015011767.tif 000031
【図３０】
2015011767.tif 000032
【図３１】
2015011767.tif 000033
【図３２】
2015011767.tif 000034
【図３３】
2015011767.tif 000035
【図３４】
2015011767.tif 000036
【図３５】
2015011767.tif 000037